(57)【要約】【課題】  アクセサリ機器との通信プロトコルとアクセサリ機器を識別し、エラー処理を対応させることで、新規のアクセサリ機器に容易に対応が可能な画像形成処理装置システムを実現する。【解決手段】  画像データから画像を生成する画像生成手段と、前記画像生成手段によって生成された画像を出力媒体に形成する画像形成手段と、前記画像形成手段のよって形成された出力媒体を処理する出力媒体処理手段とからなり、前記画像形成手段は複数の前記出力媒体処理手段から選択して接続が可能であり、前記画像形成手段と前記出力媒体処理手段の間には第1の通信手段と、前記画像形成手段と前記画像生成手段との間には第2の通信手段を有する画像形成処理システムにおいて、前記画像生成手段は前記出力媒体処理手段の接続状況に応じて、エラー発生時に異なる処理を実行するエラー処理実行手段を有する。【選択図】  図１
2005173005.tif 000002
【特許請求の範囲】
【請求項１】
ホストコンピュータから送られた画像データから画像を生成する画像生成手段と、
前記画像生成手段によって生成された画像を出力媒体に形成する画像形成手段と、
前記画像形成手段のよって形成された出力媒体を処理する出力媒体処理手段とからなり、前記画像形成手段は複数の前記出力媒体処理手段から選択して接続が可能であり、前記画像形成手段と前記出力媒体処理手段の間には第1の通信手段と、前記画像形成手段と前記画像生成手段との間には第2の通信手段と有する画像形成処理システムにおいて、
前記画像生成手段は前記出力媒体処理手段の接続状況に応じて、エラー発生時に異なる処理を実行するエラー処理実行手段を有することを特徴とする。
【請求項２】
前記出力媒体処理手段は、出力媒体を蓄積、分類、ステープル、バインド、折り、裁断、穿孔する機能をひとつ以上有することを特徴とする特許請求の範囲第１項記載の画像形成装置システム。
【請求項３】
前記第1の通信手段は前記画像形成手段と前記出力媒体処理手段との間で詳細な情報のやり取りをする通常通信手順と前記画像形成手段と前記出力媒体処理手段との間で簡易的な情報のやり取りをする簡易通信手順とを有することを特徴とする特許請求の範囲第1項記載の画像形成装置システム。
【請求項４】
前記簡易通信手順は前記画像形成手段に接続されている前記出力媒体処理手段の種類を識別できることを特徴とする特許請求の範囲第１項記載の画像形成装置システム。
【請求項５】
前記第２の通信手段は前記通常手順と前記簡易手順とを識別できることを特徴とする特許請求の範囲第１項記載の画像形成装置システム。
【請求項６】
前記エラー処理実行手段は、前記第２の通信手段によって識別された情報に従い、前記通常手順場合は、エラー発生後の復帰処理でエラー発生前に完全に前記出力媒体処理装置外に排出された後の画像から出力を行い、前記簡易手順の場合は接続されている前記出力媒体処理手段の種類に応じて、前記通常手順の場合と同じエラー処理を行うか、エラー発生後の復帰処理で次の部の始まりから出力を行う、またはそのジョブをキャンセルする処理を行うことを特徴とする特許請求の範囲第１項記載の画像形成装置システム。
【発明の詳細な説明】
【技術分野】
【０００１】
本発明は、ホストコンピュータを含む画像形成装置システムに関するものである。
【背景技術】
【０００２】
従来、画像を読み取り画像信号に変換する画像読み取り手段、前記画像信号を保持するメモリ手段、前記保持された画像信号を出力する画像出力部よりなる、カラー複写機として動作する画像形成装置が考案されている。また、前記画像形成装置とホストコンピュータとをコントローラを介して接続し、前記ホストコンピュータで作成されたカラー画像を、前記コントローラによってラスター化し、前記コントローラ内部のメモリに保持した後に、前記画像形成装置にて出力するカラープリンターとして動作し、操作者の指示に基づき、カラー複写機としてもカラープリンターとしても動作する画像形成装置システムが考案されている。さらに、前記コントローラでは大容量のメモリをもち、画像データを圧縮することで大量ページのラスターデータをメモリ上に格納できるようになっている。また、画像をビットマップに展開中に既に展開し終ったページの印刷を開始することが可能になっている。
【０００３】
前記画像形成装置にはステープルソータ、スタッカ、パンチャ、サドルフィニッシャ、トリマなどのアクセサリ機器を接続し、フィニッシング処理をすることが可能である。従来、これらのアクセサリ機器の接続方法にはオンライン方式とオフライン方式の2種類があった。オンライン方式では、画像形成装置とアクセサリ機器との間のインターフェースで詳細な情報のやり取りを行い、細かな制御によりジャムなどからのリカバリが可能になっている（特許文献１参照）。オフライン方式では用紙が画像形成装置からアクセサリ機器に出力されたのをアクセサリ機器側で検知し処理を行う。
【特許文献１】特開２００２−２４４４９３号公報
【発明の開示】
【発明が解決しようとする課題】
【０００４】
しかしながら、前記フィニッシング処理においては次の2つの問題があった。まず、オンライン方式では、アクセサリ機器に最適なインターフェースが定義されているが、そのため、新規のアクセサリ機器に対しては新たにインターフェース仕様を作成し実装する必要があった。また、オフライン方式ではアクセサリ機器で起きたエラーを前記画像形成装置に通知することができないため、アクセサリ機器でジャムが発生した後に前期画像形成装置を止めるなどのエラー処理ができないという欠点もあった。
【課題を解決するための手段】
【０００５】
以上の点に鑑み、本発明によれば以下の手段を講ずることにより上記不具合を解消し、エラー処理が可能で、新規のアクセサリ機器に容易に対応が可能な画像形成処理装置システムを実現するものである。
【０００６】
即ち、ホストコンピュータから送られた画像データから画像を生成する画像生成手段と、前記画像生成手段によって生成された画像を出力媒体に形成する画像形成手段と、前記画像形成手段のよって形成された出力媒体を処理する出力媒体処理手段とからなり、前記画像形成手段は複数の前記出力媒体処理手段から選択して接続が可能であり、前記画像形成手段と前記出力媒体処理手段の間には第1の通信手段と、前記画像形成手段と前記画像生成手段との間には第2の通信手段と有する画像形成処理システムにおいて、前記画像生成手段は前記出力媒体処理手段の接続状況に応じて、エラー発生時に異なる処理を実行するエラー処理実行手段を有する。
【発明の効果】
【０００７】
以上説明してきたように、アクセサリ機器との通信プロトコルとアクセサリ機器を識別し、エラー処理を対応させることで、新規のアクセサリ機器に容易に対応が可能な画像形成処理装置システムを実現できる効果を有する。
【発明を実施するための最良の形態】
【０００８】
（第1の実施例）
以下、好ましい実施例として、フルカラー複写機のシステムについての詳細な説明をする。なお、本発明はこの実施例に限るものではない。
【０００９】
［装置概要説明］
図3に、本発明の第1の実施形における装置概観図を示す。
【００１０】
101はホストコンピュータ、102はコントローラである。一方、103は画像形成装置であり、原稿台上に置かれた原稿をカラーで複写するとともに、コントローラ102を経てコンピュータ101より送られて来るカラー画像を出力する。ここでホストコンピュータ101上では、いわゆるＤＴＰ(Desk Top Publishing)のアプリケーションソフトウェアを動作させ、各種文書/図形が作成/編集される。ホストコンピュータ101は作成された文書/図形をPDL(Page Description Language=ページ記述言語、例えばAdobe社のPost Script)に変換し、接続ケーブル243を通じて、これをコントローラ102に送る。
【００１１】
コントローラ102は、ホストコンピュータ101より送られたPDLを翻訳し、ラスター化を行なう。ラスター化された画像信号は、接続ケーブル242を通じて、画像形成装置103にて送られ出力される。
【００１２】
フィニッシャ301はサドルステッチャとトリマから構成されている。画像形成装置103とフィニッシャ301の間には不図示の通信線による通信が行なわれている。
【００１３】
［画像形成装置概観］
図2に、前記画像形成装置103の概観図を示す。
【００１４】
先ず、複写機としての原稿の複写において、201は、原稿台ガラスであり、読み取られるべき原稿202が置かれる。原稿202は、照明203により照射され、ミラー204，205，206を経て、光学系207により、ＣＣＤ208上に像が結ばれる。更に、モータ209により、ミラー204、照明203を含む第1ミラーユニット210は、速度Ｖで機械的に駆動され、ミラー205，206を含む第2ミラーユニット211は、速度1/2Ｖで駆動され、原稿202の全面が、走査される。
【００１５】
212は、画像処理回路部であり、読み取られた画像情報を電気信号として処理し、画像メモリ108上に一旦保持し、プリント信号として出力する部分である。
【００１６】
画像処理回路部212より出力されたプリント信号は、不図示のレーザードライバーに送られ、不図示の4つの半導体レーザーを駆動する。
【００１７】
213は、ポリゴンミラーであり、不図示の4つの半導体レーザーより発光された4本のレーザー光を受ける。
【００１８】
その内の1本はミラー214，215，216をへて感光ドラム217を走査し、
次の1本はミラー218，219，220をへて感光ドラム221を走査し、
次の1本はミラー222，223，224をへて感光ドラム225を走査し、
次の1本はミラー226，227，228をへて感光ドラム229を走査する。
【００１９】
一方、230はイエロー(Y)のトナーを供給する現像器であり、レーザー光に従い、感光ドラム217上にイエローのトナー像を形成し、
231はマゼンタ(M)のトナーを供給する現像器であり、レーザー光に従い、感光ドラム221上にマゼンタのトナー像を形成し、
232はシアン(C)のトナーを供給する現像器であり、レーザー光に従い、感光ドラム225上にシアンのトナー像を形成し、
233はブラック(Bk)のトナーを供給する現像器であり、レーザー光に従い、感光ドラム229上にマゼンタのトナー像を形成する。
【００２０】
以上4色(Ｙ、Ｍ、Ｃ、Ｂｋ)のトナー像が用紙に転写され、フルカラーの出力画像を得ることができる。
【００２１】
用紙カセット234，235および、手差しトレイ236のいずれかより給紙された用紙は、レジストローラー237を経て、転写ベルト238上に吸着され、搬送される。給紙のタイミングと同期がとられて、予め感光ドラム217，221，225，229には各色のトナーが現像されており、用紙の搬送とともに、トナーが用紙に転写される。
【００２２】
各色のトナーが転写された用紙は、分離され、搬送ベルト239により搬送され、定着器240によって、トナーが用紙に定着され、排紙トレイ241に排紙される。
【００２３】
両面動作の場合には、用紙カセット234，235および、手差しトレイ236のいずれかより給紙された用紙は、レジストローラー237を経て、転写ベルト238上に吸着され、搬送される。給紙のタイミングと同期がとられて、予め感光ドラム217，221，225，229には各色のトナーが現像されており、用紙の搬送とともに、第1面の画像形成が行なわれ、トナーが用紙に転写される。
【００２４】
各色のトナーが転写された用紙は、分離され、搬送ベルト239により搬送され、定着器240によって、トナーが用紙に定着され、排紙偏向板により排紙縦パス246を通過して、両面反転部245へ搬送される。そして用紙通過して規定時間後、両面反転部入口ローラが逆回転し、用紙は反転して両面パス前搬送部247へ搬送され、両面パス244へ搬送される。このとき両面パス244上の用紙は上側が第１面の画像となっている。用紙が両面パスに搬送されると紙揃えをした後直ちに再給紙を行い、第２面目の画像形成が行なわれ、定着器240通過後排紙トレイ241に排紙される。複数の用紙で連続的に両面動作を行なうときには両面パスからの再給紙と、用紙トレイからの給紙が交互に行われることになる。
【００２５】
コントローラ102を経て、ホストコンピュータ101より送られてくる画像出力の際には、インターフェースケーブル242を経て、不図示のＰＷＭ回路に直接画像が転送され、複写機動作の場合と同様に画像が形成される。
【００２６】
なお、4つの感光ドラム217，221，225，229は、距離ｄをおいて、等間隔に配置されており、搬送ベルト239により、用紙は一定速度ｖで搬送されており、このタイミング同期がなされて、4つの半導体レーザーは駆動される。
【００２７】
［画像信号の流れ］
図1に画像信号の流れを示す。
【００２８】
208はＣＣＤセンサであり、読み込まれた画像が、レッド(Ｒ)、グリーン(Ｇ)、ブルー(Ｂ)の3つの色成分毎に、それぞれディジタル信号として出力される。
【００２９】
112は、マスキング回路であり、次式による演算により、入力された(Ｒ0,Ｇ0,Ｂ0)信号を標準的な(Ｒ,Ｇ,Ｂ)信号に変換する。
|-  -|       |-                 -| |-    -|
| Ｒ |       | ｃ11  ｃ12  ｃ13 | | Ｒ0 |
| Ｇ |  ＝   | ｃ21  ｃ22  ｃ23 | | Ｇ0 |
| Ｂ |       | ｃ31  ｃ32  ｃ33 | | Ｂ0 |
|-  -|       |-                 -| |-    -|          …(1)
但し、ｃij(i=1,2,3 j=1,2,3)は、ＣＣＤセンサの感度特性/照明ランプのスペクトル特性等の諸特性を考慮した装置固有の定数である。
【００３０】
104は輝度/濃度変換部であり、RAMもしくはROMのルックアップテーブルにより構成され、次式の様に演算がおこなわれる。
Ｃ1  ＝  −Ｋ×ｌｏｇ10(Ｒ/255)  --|
Ｍ1  ＝  −Ｋ×ｌｏｇ10(Ｇ/255)    |--                 …(2)
Ｙ1  ＝  −Ｋ×ｌｏｇ10(Ｂ/255)  --|  (Ｋは定数)
106は出力マスキング/ＵＣＲ回路部であり、Ｍ1、Ｃ1、Ｙ1信号を画像形成装置のトナー色であるＹ、Ｍ、Ｃ、Ｂｋ信号に変換する部分であり、次式の演算が成される。
|-    -|      |-                        -| |-     -|
| Ｃ   |      | ａ11  ａ21  ａ31  ａ41 | | Ｃ1   |
| Ｍ   |  ＝  | ａ12  ａ22  ａ32  ａ42 | | Ｍ1   |
| Ｙ   |      | ａ13  ａ23  ａ33  ａ43 | | Ｙ1   |
| Ｂｋ |      | ａ14  ａ24  ａ34  ａ44 | | Ｂｋ1 |
|-    -|      |-                        -| |-     -|  …(3)
但し、aij(i=1,2,3,4 j=1,2,3,4)は、トナーの色味諸特性を考慮した装置固有の定数であり、さらに、
Ｂｋ1  ＝  min(Ｃ1、Ｍ1、Ｙ1)                 …(4)
以上、上記（2）、（3）、（4）式に基づき、ＣＣＤセンサーで読み込まれたＲ、Ｇ、Ｂ信号に基づいたＣ1、Ｍ1、Ｙ1、Ｂｋ1信号をトナーの分光分布特性に基づいたＣ、Ｍ、Ｙ、Ｂｋ信号に補正して出力する。
【００３１】
一方、105は文字/線画検出回路であり、原稿画像中の各画素が、文字または線画の一部分であるか否かを判定し、判定信号ＴＥＸＴを発生する文字/線画検出回路である。107は圧縮/伸張回路であり、画像信号（Ｒ、Ｇ、Ｂ）および文字/線画判定信号ＴＥＸＴを圧縮し、情報量を落とした後にメモリ108に格納すると共に、メモリ108より読み出されたデータにより、画像信号（Ｒ、Ｇ、Ｂ）および文字/線画判定信号ＴＥＸＴを伸張するものである。なお、画像圧縮/伸張回路については特に記載はしない。
【００３２】
更に、コントローラ102は、ＣＰＵ110によって制御され、前記トナーの分光感度特性に合ったＹ、Ｍ、Ｃ、Ｂｋ信号が格納されると共に、複写機側の画像形成タイミングに同期して、読み出される。メモリ109に保持される画像信号は、ケーブル242を通じて、ＣＣＤ208によって読み込まれた画像信号が保持されると共に、ケーブル243を通じてホストコンピュータ101により送られたコンピュータ画像が保持される場合もある。
【００３３】
［複写機単体での動作］
本実施形における装置システムにおいては、複写機単体としての動作と、コントローラをふくめたシステム動作の両方が存在する。先ず、複写機単体の動作を説明する。複写機動作の場合には、ＣＣＤ208で読み込まれた画像信号は、マスキング回路112、輝度/濃度変換部104を経て、圧縮/伸張回路にて圧縮後にメモリ108に書き込まれる。また、文字/線画判定回路105によって判定された文字/線画判定信号ＴＥＸＴも圧縮/伸張回路にて圧縮後にメモリ108に書き込まれる。
【００３４】
更に、メモリ108より読み出されたデータは、圧縮/伸張回路107によって伸張され、複写機の画像形成タイミングに従って送られ、不図示のＰＷＭ回路を通じてレーザードライバーに送られる。そのタイミングチャートを図４に示す。
【００３５】
図４において、ＣＣＤ208によって読みとられた画像は、401に示されるタイミングにて、メモリ108に書き込まれる。更に、メモリ108上に書き込まれた画像データは、402，403，404および405に示されるタイミングで読み出される。402，403，404および405に示されるタイミングの関係は、図示の通りに、時間d/v間隔をあけて、読み出される。ここで、すでに説明したが、dは等間隔に配置された4つのドラム間隔であり、vは搬送ベルトにより搬送される用紙の速度である。
【００３６】
［コントローラを含めたシステム動作］
次に、コントローラを含めたシステム動作について説明する。コントローラを含めたシステム動作には、大きく分けて、スキャン動作、PDL展開動作、プリントアウト動作がある。
【００３７】
先ず、スキャン動作について説明する、ＣＣＤ208によって読み込まれた画像を、コントローラに取り込む動作であり、ＲＧＢデータもしくはＹＭＣＫデータに変換されて、メモリ109に画像データは保持される。
【００３８】
次に、PDL展開動作は、ホストコンピュータ101から送られたPDL言語のデータをコントローラのCPU110で解釈してフルカラー画像に展開し、画像メモリ109上に書込む動作を行う。このフルカラー画像は、画像形成装置103のもつ出力特性にあわせ、イエロー(Ｙ)、マゼンタ(Ｍ)、シアン(Ｃ)、ブラック(Ｂｋ)の4色に色分解された画像データとして展開される。
【００３９】
プリントアウト動作においては、前記画像メモリ109上に展開されたフルカラー画像および、文字/線画の識別であるＴＥＸＴ信号を、4つのドラム217，221，225，229に同期するように読出し、不図示のＰＷＭ回路を通じてレーザードライバーに送られ、プリント出力がなされる。
【００４０】
図５にコントローラを含めたシステム動作例のタイミングチャートを示す。
【００４１】
図５において、501で示される区間でPDL展開動作が行われ、502で示される区間で判定信号ＴＥＸＴを生成し、同時に画像メモリ509への書込動作が行われる。メモリ109上に書き込まれた画像データは、503，504，505および506に示されるタイミングで読み出される。503，504，505および506に示されるタイミングの関係は、図示の通りに、時間d/v間隔をあけて、読み出される。ここで、すでに説明したが、dは等間隔に配置された4つのドラム間隔であり、vは搬送ベルトにより搬送される用紙の速度である。
【００４２】
ここで、特徴的なことは、PDL展開動作とＴＥＸＴ信号の生成を同時に行うことであり、これらの動作が順次行われる場合に対し、処理の高速化が行われる。また、これら動作の同時処理の制御は、CPU110によって行われる。
【００４３】
［ホストコンピュータからの両面印刷］
ホストコンピュータ101からの両面印刷について説明する。ホストコンピュータ上ではプリンタドライバによって、両面印刷のPDLデータが生成され、その PDLデータをホストコンピュータ101からコントローラ102へパラレルなどのケーブルもしくはイーサネット（登録商標）ケーブルなどのネットワークを介して転送する。コントローラ102では転送されたPDLデータをコントローラ内のハードディスク111に格納し、そのPDLデータをコントローラ102のCPU110でラスター画像としてメモリ109に展開する。メモリ109に展開されたラスタデータはインタフェースケーブル242を介してレーザードライバに送られ印刷が開始される。
【００４４】
印刷が開始されると、コントローラ102からの指示に従い用紙がカセット234，235または手差しトレイ236から給紙が行なわれ、転写ベルト上に吸着され用紙の搬送とともに第1面目の画像が用紙上に形成される。このときコントローラ102ははじめに第1面の画像をプリンタにおくる必要がある。そして、第1面の画像が両面パス244を通過し、再給紙されたあとはカセット235または手差しトレイ236からの給紙と両面パス244からの再給紙が交互に行われることになる。たとえば、16ページ1部の文書を昇順に送るときにはコントローラはプリンタに
1 - 3 - 5 - 7 - 2 - 9 - 4 - 11 - 6 - 13 - 8 - 15 - 10 - 12 - 14 - 16
の順番でプリンタに送る。
【００４５】
［アクセサリ機器からのプリンタ出力］
ここでは、アクセサリ機器としてサドルステープルとトリムが可能なフィニッシャ301をカラー複写機に接続し、カラー複写機をプリンタとして使用してホストコンピュータからパンフレットなどを製本印刷する場合について説明する。
【００４６】
コントローラとプリンタ間での通信制御について図6を用いて説明する。まず、プリンタの電源投入時にプリンタは接続されているアクセサリ機器の構成情報をアクセサリ機器との通信によって獲得する。コントローラ102はプリンタ(この場合はカラー複写機)に接続されたアクセサリの構成と使用プロトコルを調べる。フィニッシャはこのときSimple Peripheral Protocol(以後SPPとする)であることと、フィニッシャ識別番号をプリンタに通知する。接続されているアクセサリ機器がステープルソータの場合は使用プロトコルはNormal Peripheral Protocol(以後NPPとする)となる。
【００４７】
ホストコンピュータ101からフィニッシャを使用するにはドライバをインストールする必要があるが、ドライバがすでに対応しているフィニッシャの場合はインストールオプションで前記フィニッシャを選択する。未対応のフィニッシャの場合は一般アクセサリを選択する。ホストコンピュータ101にインストールされているプリンタドライバの種類によってはオートコンフィギュレーション機能によってフィニッシャ等のアクセサリ機器の接続状態をプリンタとコントローラの通信から自動的に獲得しプリンタドライバに反映させることが可能である。
フィニッシャ印刷をするためにはホストコンピュータ上からPPDを使って、フィニッシャ動作を指示し、印刷を開始する。
【００４８】
コントローラ102はホストコンピュータ101からPDLデータを受け取ると、フレームバッファ用のメモリ109にビットマップとして展開していく。そして、601で印刷を開始する前にコントローラ102はStatusをプリンタに送り、プリンタとフィニッシャの状態の問い合わせを行なう。プリンタは602で、コントローラに用紙の状態、エラーの有無、プリンタとフィニッシャの状態(準備中かプリントできる状態か)をコントローラに返す。603では両面印刷するページに関する情報をプリンタに送る。603のReadyPageは枚数を送る部分と、第1面の給紙個所、排紙個所(中間トレイ)、カラーモードなどの情報を送る部分と、第2面の給紙個所(両面パス)、排紙個所(機外)、カラーモードなどの情報を送る部分とからできている。604では送られた情報を格納し受け取ったことを通知し、格納に失敗したときには再送要求を送信する。このとき、プリンタでは第1面の情報と第2面目の情報を別々に管理する。前の用紙と第1面または第2面めに関する情報が異なる場合にはその都度Ready Pagesでプリンタに情報を送信する。ただし、2回目以降のReady Pageは印刷中に送信してもよい。 605では印刷を開始する。このときフィニッシャ動作のプリンタへの指示も同時に行われる。フィニッシング動作はサドル、サドル＋トリムがある。608では開始できるかどうかをコントローラに通知する。印刷中、コントローラは609のように定期的にStatusコマンドを送信することによってプリンタの状態を調べる。プリンタから排出された用紙はフィニッシャへ送られ、フィニッシング処理される。そしてコントローラは610のReportのプリントレポートで印刷済み枚数が返されることによってプリンタが停止したかどうかを知る。
【００４９】
［ジャム時のエラー処理］
印刷中にジャムが発生した場合の対応について説明する。プリンタ内でジャムが発生した場合、プリンタはプリンタジャムをコントローラとフィニッシャに通知する。そして、プリンタはプリンタ停止後コントローラに排出ずみ枚数を通知する。コントローラは排出ずみ枚数からリカバリ印刷ジョブをセットし、プリンタのジャム処理後プリンタの準備が完了したのち、リカバリジョブを再送する。
【００５０】
フィニッシャ内でジャムが発生した場合の対応について図7を用いて説明する。ジャム発生後直ちにフィニッシャはプリンタにジャムを通知し、プリンタは給紙を停止し、コントローラにフィニッシャのジャムとプリンタの停止を通知する。S71でコントローラはジャム情報をプリンタから受信する。プリンタ停止後、プリンタは排出ずみ枚数をコントローラに通知する。S72でコントローラは排出ずみ枚数を受信するが、この枚数はNPPの場合はアクセサリ機器から排出された用紙の枚数になるが、SPPの場合はプリンタから排出されて枚数になる。ジャム処理後、コントローラはエラー処理を開始するが、S73で使用プロトコルがNPPの場合S74に進み、通常のリカバリ処理として排出ずみ枚数以降のジョブを再送する。SPPの場合S75でアクセサリ機器の識別番号によってエラー処理を変更する。識別番号が登録されていない番号の場合S76に進み、そのジョブをキャンセルする。識別番号がフィニッシャまたはパンチャまたはバインダの場合はS77に進み、コントローラはジャムが発生した次の部の最初からジョブを送信する。識別番号がスタッカの場合S78に進み、コントローラはNPPの場合と同じようにリカバリ処理を行なう。
【図面の簡単な説明】
【００５１】
【図１】画像信号の流れを示す図。
【図２】画像形成装置概観図。
【図３】装置システム概観図。
【図４】複写機単体としての動作を示すタイミングチャート。
【図５】ホストコンピュータを含むシステムとしての動作を示すタイミングチャート。
【図６】コントローラと画像形成装置間の通信を示す図。
【図７】エラー処理のフローチャート。
【符号の説明】
【００５２】
101  ホストコンピュータ
102  コントローラ
103  画像形成装置
105  ＲＧＢ画像から文字/線画を抽出する文字/線画抽出手段
108  複写機内蔵の画像メモリ
109  コントローラ内蔵の画像メモリ
110  ＣＰＵ
111  ＹＭＣＢｋ画像から文字/線画を抽出する文字/線画抽出手段
217,221,225,229  感光ドラム
301  フィニッシャ
【図１】
2005173005.tif 000003
【図２】
2005173005.tif 000004
【図３】
2005173005.tif 000005
【図４】
2005173005.tif 000006
【図５】
2005173005.tif 000007
【図６】
2005173005.tif 000008
【図７】
2005173005.tif 000009